【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
患者に担持されるように適合されたベース（２０２）と、
前記ベースと動作可能に係合および係合解除されるように構成された第１のデバイスハウジング（４８０）と、
を備える挿入システム（２００）であって、
前記第１のデバイスハウジングが、少なくとも後退位置と前進位置の間で前記第１のデバイスハウジングの少なくとも一部分の内部で移動するように配置された第１のキャリア本体（４６０）を備え、
前記第１のキャリア本体が、前記後退位置から前記前進位置への前記第１のキャリア本体の移動時に前記患者の皮膚に挿通するように向けられた位置で穿刺部材（４４６）を支持するためのものであり、
挿入システムがさらに、前記第１のデバイスハウジングと動作可能に係合および係合解除されるように構成された第２のデバイスハウジング（５１０）を備え、
前記第２のデバイスハウジングが、少なくとも後退位置と前進位置の間で前記第２のデバイスハウジングの少なくとも一部分の内部で移動するように配置された第２のキャリア本体（５４０）を備え、
前記第２のキャリア本体が、前記第１のキャリア本体と動作可能に係合可能であり、
前記第２のデバイスハウジングがさらに、第２のデバイスハウジング内部に配置された駆動機構（５６０）を備え、
前記駆動機構が、前記穿刺部材の少なくとも一部分を前記患者の皮膚に挿通するために、前記第１のキャリア本体を前記後退位置から前記前進位置に向けて移動させるように回転力を提供するためのものであって、
前記第２のキャリア本体による動線と前記第１のキャリア本体による動線とが、共通の軸を共有することを特徴とする挿入システム。
【請求項２】
請求項１に記載の挿入システムであって、
前記駆動機構（５６０）がねじりばね部材を備えることを特徴とする挿入システム。
【請求項３】
請求項１に記載の挿入システムであって、
前記挿入システムがさらに、前記駆動機構（５６０）と動作可能に接続されたカムアセンブリ（５８０）を備え、
前記カムアセンブリが、少なくとも第１の向きと第２の向きの間で回転可能であり、
前記カムアセンブリが、前記カムアセンブリが前記第２の向きから前記第１の向きに回転するときに、前記第２のキャリア本体（５４０）を前記前進位置に向けて移動させるように構成され、
前記カムアセンブリが、前記カムアセンブリが前記第１の向きから前記第２の向きに回転するときに、前記第２のキャリア本体を前記後退位置に向けて移動させるように構成される、
ことを特徴とする挿入システム。
【請求項４】
請求項３に記載の挿入システムであって、
前記カムアセンブリが溝（５８８）を有し、
前記第２のキャリア本体が、前記カムアセンブリの前記溝に沿って移動するように配置された突起（５４４）を有し、前記カムアセンブリが、前記第２のキャリア本体を前記後退位置と前記前進位置の間で移動させるために前記第２の向きと前記第１の向きの間で回転するときに、前記カムアセンブリ（５８０）の前記溝に沿って前記突起を案内するように構成される、
ことを特徴とする挿入システム。
【請求項５】
請求項３に記載の挿入システムであって、
前記駆動機構（５６０）が、第１の設定位置と第２の設定位置を有し、前記第２の設定位置にある場合に前記第１の設定位置に向けて偏倚されることを特徴とする挿入システム。
【請求項６】
請求項３に記載の挿入システムであって、
前記挿入システムがさらに、前記カムアセンブリと動作可能に係合および係合解除するように適合された係止機構（５５０）を備え、前記係止機構が、前記カムアセンブリ（５８０）と係合される場合に、前記カムアセンブリの回転を実質的に妨げるように構成される、
ことを特徴とする挿入システム。
【請求項７】
請求項６に記載の挿入システムであって、
前記係止機構（５５０）がトリガ部材（５５４）を備え、
前記トリガ部材と前記カムアセンブリとの少なくとも一方が、前記トリガと前記カムアセンブリとの前記少なくとも一方の他方のアパーチャと係合および係合解除するためのタブを有し、
前記係止機構が、前記タブがアパーチャと係合される場合に、前記カムアセンブリの回転を実質的に妨げるように構成されることを特徴とする挿入システム。
【請求項８】
請求項１に記載の挿入システムであって、
前記駆動機構（５６０）が、前記第２のデバイスハウジング（５１０）内部に配置されて、前記第２のキャリア本体（５４０）を前記後退位置から前記前進位置に向けて移動させ、前記第１のキャリア本体（４６０）を前記後退位置から前記前進位置に向けて移動させて、前記穿刺部材の少なくとも一部分を前記患者の皮膚に挿通することを特徴とする挿入システム。
【請求項９】
請求項１に記載の挿入システムであって、
前記第１のキャリア本体（４６０）が、前記前進位置に移動されるときに前記ベースに動作可能に係合するように構成されることを特徴とする挿入システム。
【請求項１０】
請求項１に記載の挿入システムであって、
前記第１のキャリア本体（４６０）が、プランジャ（４８８）を備え、
前記プランジャが、前記穿刺部材を支持し、前記後退位置から前記前進位置への前記第１のキャリア本体の移動時に前記使用者患者の皮膚に前記穿刺部材を挿入するように構成されることを特徴とする挿入システム。
【請求項１１】
請求項１に記載の挿入システムであって、
前記第１のキャリア本体（４６０）が、プランジャ（４８８）と、前記プランジャに動作可能に接続されたカラー本体（４６８）とを備え、
前記穿刺部材が、前記後退位置から前記前進位置への前記第１のキャリア本体の移動時に前記患者の皮膚に挿通するように向けられた位置で、前記プランジャと前記カラー本体との少なくとも一方によって支持されることを特徴とする挿入システム。
【請求項１２】
請求項１１に記載の挿入システムであって、
前記穿刺部材が、前記カラー本体によって支持されたカニューレ（４４８）と、前記プランジャ（４８８）によって支持された注射針（４４６）とを備え、
前記注射針が、少なくとも部分的に前記カニューレに通して配設され、
前記カニューレおよび前記注射針が、前記後退位置から前記前進位置への前記第１のキャリア本体（４６０）の移動時に前記患者の皮膚に挿通するように向けられた位置で支持される、
ことを特徴とする挿入システム。
【請求項１３】
請求項１２に記載の挿入システムであって、
前記プランジャ（４８８）および前記注射針（４４６）が、前記カラー本体（４６８）から取外し可能であり、
前記カニューレ（４４８）および前記カラー本体が、別のカラー本体およびカニューレと共に再使用されるように適合されることを特徴とする挿入システム。
【請求項１４】
請求項１２に記載の挿入システムであって、
前記カラー本体（４６８）が、前記カニューレ（４４８）の中空内部と流体連絡する流体チャネル（４６９）を有し、
前記流体チャネルが、流体媒体が前記リザーバから前記カニューレの前記中空内部に流れることができるように、前記第１のキャリア本体（４６０）が前記前進位置にあるときに、流体媒体を収容するためのリザーバに動作可能に接続するためのものである、ことを特徴とする挿入システム。
【請求項１５】
挿入システム（２００）を製造する方法であって、
患者によって担持されるようにベース（２０２）を適合させるステップと、
前記ベース（２０２）と動作可能に係合および係合解除されるように第１のデバイスハウジング（４８０）を構成するステップと、
を含み、
前記第１のデバイスハウジングを構成するステップが、少なくとも後退位置と前進位置の間で前記第１のデバイスハウジングの少なくとも一部分の内部で移動するように第１のキャリア本体（４６０）を配置するステップを含み、前記第１のキャリア本体が、前記後退位置から前記前進位置への前記第１のキャリア本体の移動時に前記患者の皮膚に挿通するように向けられた位置で穿刺部材を支持するためのものであり、
方法がさらに、前記第１のデバイスハウジングと動作可能に係合および係合解除されるように第２のデバイスハウジング（５１０）を構成するステップを含み、
前記第２のデバイスハウジングを構成するステップが、少なくとも後退位置と前進位置の間で前記第２のデバイスハウジングの少なくとも一部分の内部で移動するように第２のキャリア本体（５４０）を配置するステップであって、前記第２のキャリア本体が、前記第１のキャリア本体と動作可能に係合可能であるステップと、第２のデバイスハウジング内部に駆動機構を配置するステップとを含み、前記駆動機構が、前記穿刺部材の少なくとも一部分を前記患者の皮膚に挿通するために、前記第１のキャリア本体を前記後退位置から前記前進位置に向けて移動させるように回転力を提供するためのものであって、
前記第２のキャリア本体による動線と前記第１のキャリア本体による動線とが、共通の軸を共有することを特徴とする方法。